(57)【特許請求の範囲】
【請求項１】
移動通信システムにおける基地局であって、
ユーザ装置との通信における論理パスの設定及び中継局との通信における論理パスの設定に共通に使用される第１の設定情報と、前記中継局との通信における論理パスの設定にのみ使用される第２の設定情報とを生成する生成部と、
前記第１の設定情報を含む個別的な第１のRRCメッセージを前記中継局に送信した後に、前記第２の設定情報を含む個別的な第２のRRCメッセージを前記中継局に送信する送信部と
を有し、前記第１の設定情報は、前記論理パスによる無線ベアラの優先度を示す情報、セミパーシステントスケジューリングにおけるリソースの使用法を示す情報、サウンディングリファレンス信号のリソースを示す情報、MACサブレイヤにおけるコンフィギュレーション情報及びハンドオーバによるセキュリティ暗号鍵の変更に関する情報を少なくとも含み、
前記第２の設定情報は、ユーザ装置に報知されているシステム情報及びMBSFN用のサブフレームを示す情報を少なくとも含む、基地局。
【請求項２】
前記第１及び第２の設定情報双方に含まれるが値は異なる設定項目の情報が存在する場合、前記第２の設定情報による値が前記中継局において優先される、請求項１記載の基地局。
【請求項３】
ユーザ装置及び基地局と通信する中継局であって、
ユーザ装置との通信における論理パスの設定及び前記基地局との通信における論理パスの設定に共通に使用される第１の設定情報を含む個別的な第１のRRCメッセージを前記基地局から受信した後に、前記基地局との通信における論理パスの設定にのみ使用される第２の設定情報を含む個別的な第２のRRCメッセージを前記基地局から受信する受信部と、
前記第１の設定情報にしたがって、前記ユーザ装置との通信における論理パス及び前記基地局との通信における論理パスを設定し、前記第２の設定情報にしたがって、前記基地局との通信における論理パスを設定する設定部と
を有し、前記第１の設定情報は、前記論理パスによる無線ベアラの優先度を示す情報、セミパーシステントスケジューリングにおけるリソースの使用法を示す情報、サウンディングリファレンス信号のリソースを示す情報、MACサブレイヤにおけるコンフィギュレーション情報及びハンドオーバによるセキュリティ暗号鍵の変更に関する情報を少なくとも含み、
前記第２の設定情報は、ユーザ装置に報知されているシステム情報及びMBSFN用のサブフレームを示す情報を少なくとも含む、中継局。
【請求項４】
前記第１及び第２の設定情報双方に含まれるが値は異なる設定項目の情報が存在する場合、前記第２の設定情報による値が当該中継局において優先される、請求項３記載の中継局。
【請求項５】
移動通信システムにおける方法であって、
ユーザ装置との通信における論理パスの設定及び中継局との通信における論理パスの設定に共通に使用される第１の設定情報と、前記中継局との通信における論理パスの設定にのみ使用される第２の設定情報とを基地局において生成し、
前記第１の設定情報を含む個別的な第１のRRCメッセージを前記基地局から前記中継局に送信した後に、前記第２の設定情報を含む個別的な第２のRRCメッセージを前記基地局から前記中継局に送信するステップ
を有し、前記第１の設定情報は、前記論理パスによる無線ベアラの優先度を示す情報、セミパーシステントスケジューリングにおけるリソースの使用法を示す情報、サウンディングリファレンス信号のリソースを示す情報、MACサブレイヤにおけるコンフィギュレーション情報及びハンドオーバによるセキュリティ暗号鍵の変更に関する情報を少なくとも含み、
前記第２の設定情報は、ユーザ装置に報知されているシステム情報及びMBSFN用のサブフレームを示す情報を少なくとも含む、方法。
【発明の詳細な説明】
【技術分野】
【０００１】
本発明は、移動通信システムにおける基地局、中継局及び方法に関する。
【背景技術】
【０００２】
セルラ方式の移動通信システムにおいて、セルのカバレッジを拡張するため及び／又は基地局（eNB）の負荷分散を図るため、基地局（eNB）と移動局（より一般的にはユーザ装置（UE））の間に中継局（Relay  Node：RN）が設けられる場合がある。この場合における基地局（eNB）は、親局として機能し、ドナー基地局（Donnor  eNodeB：DeNB）と言及されることもある。ユーザ装置（UE）は、典型的には移動局であるが固定局でもよい。ユーザ装置（UE）は、例えば、携帯電話、情報端末、スマートフォン、パーソナルディジタルアシスタント、携帯用パーソナルコンピュータ等の適切な如何なる装置でもよい。基地局（eNB）及び中継局（RN）の間の無線インターフェースは「Un」と言及される。中継局（RN）及び移動局（UE）間の無線インターフェースは、「RN−Un」と言及される。
【０００３】
基地局（eNB）と無線通信を行うには、基地局（eNB）から報知信号を受信して基地局（eNB）にアクセス可能になった後、無線ベアラ又は論理パスを適切に設定する必要がある。すなわち、RLC、MAC及びPDCPサブレイヤ等の各サブレイヤにおける各種のパラメータを、基地局（eNB）に合わせておく必要がある。論理パスの設定は、ユーザ装置（UE）だけでなく中継局（RN）も行う必要がある。この場合において、ユーザ装置（UE）の論理パスの設定と、中継局（RN）の論理パスの設定とは少なくとも部分的に異なる。
【０００４】
例えば、中継局（RN）は、基地局（eNB）からの受信とユーザ装置（UE）への送信を、同一周波数による半二重方式で実現するため、時分割複信（TDD）方式を使用する。その際、中継局（RN）は、MBSFN（Multimedia  Broadcast  multicast  service  Single  Frequency  Network）を伝送するように設定可能なサブフレームを使用して、基地局（eNB）から信号を受信する必要がある。これに対して、ユーザ装置（UE）にはそのような制約はない。したがって、少なくともサブフレームの使用法に関して、中継局（RN）及びユーザ装置（UE）の論理パスの設定は異なる。サブフレームの設定以外にも、例えば、セミパーシステントスケジューリング（SPS）におけるリソースの使用法を示す情報、サウンディングリファレンス信号（SRS）のリソースを示す情報及びMACサブレイヤにおけるコンフィギュレーション情報等の設定が異なる可能性がある。
【０００５】
したがって、基地局（eNB）は、中継局（RN）及びユーザ装置（UE）に対して、論理パスを設定するための情報を提供する必要がある。本願出願前に議論されている3GPP標準仕様によれば、基地局（eNB）は、ユーザ装置（UE）及び中継局（RN）に共通の設定情報を含む個別RRCメッセージと、中継局（RN）に専用の設定情報を含む個別RRCメッセージとを送信することが検討されている（これについては、例えば、非特許文献１参照）。  
【先行技術文献】
【非特許文献】
【０００６】
【非特許文献１】Report  of  3GPP  TSG  RAN  WG2  meeting  #69,  R2−101978
【発明の概要】
【発明が解決しようとする課題】
【０００７】
しかしながら、中継局に必要な論理パスの設定情報を基地局がどのようにして中継局に通知するかについての具体的詳細は決まっていない。
【０００８】
本発明の課題は、基地局及びユーザ装置と通信する中継局に必要な論理パスの設定情報を、基地局から中継局へ適切に通知できるようにすることである。
【課題を解決するための手段】
【０００９】
本発明の一形態による基地局は、
移動通信システムにおける基地局であって、
ユーザ装置との通信における論理パスの設定及び中継局との通信における論理パスの設定に共通に使用される第１の設定情報と、前記中継局との通信における論理パスの設定にのみ使用される第２の設定情報とを生成する生成部と、
前記第１の設定情報を含む個別的な第１のRRCメッセージを前記中継局に送信した後に、前記第２の設定情報を含む個別的な第２のRRCメッセージを前記中継局に送信する送信部と
を有し、前記第１の設定情報は、前記論理パスによる無線ベアラの優先度を示す情報、セミパーシステントスケジューリングにおけるリソースの使用法を示す情報、サウンディングリファレンス信号のリソースを示す情報、MACサブレイヤにおけるコンフィギュレーション情報及びハンドオーバによるセキュリティ暗号鍵の変更に関する情報を少なくとも含み、
前記第２の設定情報は、ユーザ装置に報知されているシステム情報及びMBSFN用のサブフレームを示す情報を少なくとも含む、基地局である。
【発明の効果】
【００１０】
本発明の一形態によれば、基地局及びユーザ装置と通信する中継局に必要な論理パスの設定情報を、基地局から中継局へ適切に通知することができる。
【図面の簡単な説明】
【００１１】
【図１】中継局（RN）に所定の設定情報を通知する際に基地局（eNB）及び中継局（RN）の間で行われるシーケンス図。
【図２】中継局（RN）に所定の設定情報を通知する際に基地局（eNB）及び中継局（RN）の間で行われる別のシーケンス図。
【図３】中継局（RN）に更新用の所定の設定情報を通知する際に基地局（eNB）及び中継局（RN）の間で行われる別のシーケンス図。
【図４】基地局（eNB）及び中継局（RN）の間で行われるシーケンス図。
【図５】基地局（eNB）及び中継局（RN）の間で行われる別のシーケンス図。
【図６】基地局（eNB）及び中継局（RN）の間で行われる別のシーケンス図。
【図７】基地局（eNB）及び中継局（RN）の間で行われる別のシーケンス図。
【図８】基地局（eNB）及び中継局（RN）の間で行われる別のシーケンス図。
【図９】中継局（RN）における動作を示すフローチャート。
【図１０】基地局（eNB）及び中継局（RN）の間で行われるシーケンス図。
【図１１】基地局（eNB）及び中継局（RN）の機能ブロック図。
【発明を実施するための形態】
【００１２】
以下の観点から実施例を説明する。
【００１３】
１．設定順序
２．設定できなかった場合
２．１  メッセージ毎に再接続要求
２．２  まとめて再接続要求
２．３  更新時の再接続要求
２．４  動作フロー
３．設定項目
４．基地局（eNB）及び中継局（RN）
【実施例１】
【００１４】
＜１．設定順序＞
図１は、中継局（RN）に所定の設定情報を通知する際に基地局（eNB）及び中継局（RN）の間で行われるシーケンスを示す。
【００１５】
ステップS11において、基地局（eNB）は、ユーザ装置（UE）及び中継局（RN）に共通する第１の設定情報を個別的な第１のRRCメッセージにより、中継局（RN）に送信する。図中、「RRC  Procedure」とあるのは、この第１のRRCメッセージによる手順が、RRC接続再設定メッセージ（RRC  connection  reconfiguration  message）のようなRRCコネクションを設定するためのプロシジャであることを示す。第１の設定情報は、具体的には、論理パスによる無線ベアラの優先度を示す情報、セミパーシステントスケジューリング（SPS）におけるリソースの使用法を示す情報、サウンディングリファレンス信号（SRS）のリソースを示す情報及びMACサブレイヤにおけるコンフィギュレーション情報等を含むが、これらに限定されない。例えば、ハンドオーバによるセキュリティ暗号鍵の変更に関する情報が、第１の設定情報に含まれてもよい。図示されてはいないが、中継局（RN）は、第１の設定情報にしたがって論理パスを設定することで、ユーザ装置（UE）と同様に基地局（eNB）と通信することができるようになる。
【００１６】
ステップS12において、基地局（eNB）は、中継局（RN）に専用の第２の設定情報を個別的な第２のRRCメッセージにより、中継局（RN）に送信する。図中、「Un  Configuration」とあるのは、第２の設定情報が、中継局（RN）のコンフィギュレーションに関連することを示す。従来のRRCプロシジャ（RRC  Procedure）には、この第２のRRCメッセージによる手順に該当するものはない。第２の設定情報は、例えば、ユーザ装置に報知されているシステム情報及びMBSFN用のサブフレームを示す情報を含むが、これらに限定されない。図示されてはいないが、中継局（RN）は、第１の設定情報に加えて、第２の設定情報にしたがって論理パスを設定することで、中継局（RN）として、基地局（eNB）と通信することができるようになる。
【００１７】
ステップS13において、中継局（RN）は、ステップS11による第１のRRCメッセージを適切に受信できたことを、RRCプロシジャ完了メッセージ（RRC  Procedure  Complete）により基地局（eNB）に通知する。
【００１８】
ステップS14において、中継局（RN）は、ステップS12による第２のRRCメッセージを適切に受信できたことを、Unコンフィギュレーション完了メッセージ（Un  Configuration  Complete）により基地局（eNB）に通知する。
【００１９】
図示の手順によれば、基地局（eNB）は、ステップS11による第１のRRCメッセージを送信した後、その第１のRRCメッセージに対する応答メッセージ（RRC  Procedure  Complete）の受信を待機せずに、ステップS12において第２のRRCメッセージを送信している。したがって、中継局（RN）は、第１及び第２のRRCメッセージを速やかに受信し、中継局としての設定を早期に行うことができる。
【００２０】
図２は、中継局（RN）に所定の設定情報を通知する際に基地局（eNB）及び中継局（RN）の間で行われる別のシーケンスを示す。
【００２１】
ステップS21において、基地局（eNB）は、ユーザ装置（UE）及び中継局（RN）に共通する第１の設定情報を個別的な第１のRRCメッセージにより、中継局（RN）に送信する。これは、図１のステップS11の手順に相当する。図示されてはいないが、中継局（RN）は、第１の設定情報にしたがって論理パスを設定することで、ユーザ装置（UE）と同様に基地局（eNB）と通信することができるようになる。
【００２２】
ステップS22において、中継局（RN）は、ステップS21による第１のRRCメッセージを適切に受信できたことを、RRCプロシジャ完了メッセージ（RRC  Procedure  Complete）により基地局（eNB）に通知する。この点、図１のシーケンスと順序が異なる点に留意を要する。
【００２３】
ステップS23において、基地局（eNB）は、中継局（RN）に専用の第２の設定情報を個別的な第２のRRCメッセージにより、中継局（RN）に送信する。これは、図１のステップS12の手順に相当する。図示されてはいないが、中継局（RN）は、第１の設定情報に加えて、第２の設定情報にしたがって論理パスを設定することで、中継局（RN）として、基地局（eNB）と通信することができるようになる。
【００２４】
ステップS24において、中継局（RN）は、ステップS23による第２のRRCメッセージを適切に受信できたことを、Unコンフィギュレーション完了メッセージ（Un  Configuration  Complete）により基地局（eNB）に通知する。
【００２５】
図２の手順によれば、基地局（eNB）は、ステップS21による第１のRRCメッセージを送信した後、その第１のRRCメッセージに対する応答メッセージ（RRC  Procedure  Complete）をステップS22において受信する。その後に、基地局（eNB）は、ステップS23において第２のRRCメッセージを送信している。したがって、第１及び第２のRRCメッセージを中継局（RN）が双方とも取得できる時点は、図１のシーケンスの場合より遅い。しかしながら、図２のシーケンスの場合、第１のRRCメッセージに対する応答信号（RRC  Procedure  Complete）が基地局（eNB）に届かなかった場合、基地局（eNB）は、第２のRRCメッセージを無駄に送信せずに済む点で有利である。
【００２６】
図３は、中継局（RN）に所定の設定情報を通知する際に基地局（eNB）及び中継局（RN）の間で行われる別のシーケンスを示す。図１、図２は中継局（RN）の起動時におけるシーケンスに対応し、図３は起動した後の動作中におけるシーケンスに対応する。
【００２７】
ステップS31において、基地局（eNB）は、ユーザ装置（UE）及び中継局（RN）に共通する第１の設定情報を個別的な第１のRRCメッセージにより、中継局（RN）に送信する。これは、図１のステップS11の手順に相当する。図示されてはいないが、中継局（RN）は、第１の設定情報にしたがって論理パスを設定することで、ユーザ装置（UE）と同様に基地局（eNB）と通信することができるようになる。以後、図１又は図２で説明した手順が行われ、中継局（RN）は、第１の設定情報に加えて、第２の設定情報にしたがって論理パスを設定することで、中継局（RN）として、基地局（eNB）と通信することができるようになる。その後、中継局（RN）として機能するのに必要な第２の設定情報が、基地局（eNB）において更新されたと仮定する。
【００２８】
ステップS32において、基地局（eNB）は、更新後の第２の設定情報を個別的な第２のRRCメッセージにより、中継局（RN）に送信する。中継局（RN）は、更新後の第２の設定情報にしたがって論理パスを設定することで、適切な中継局（RN）として、基地局（eNB）と通信することができるようになる。
【００２９】
ステップS33において、中継局（RN）は、ステップS32による第２のRRCメッセージを適切に受信できたことを、Unコンフィギュレーション完了メッセージ（Un  Configuration  Complete）により基地局（eNB）に通知する。
【００３０】
このように基地局（eNB）において第２の設定情報が更新された場合、更新された第２の設定情報を受信することで、中継局（RN）は論理パスを更新後の内容に効率的に設定することができる。仮に中継局（RN）がこのような更新を行わなかったならば、更新後の新しい設定を有する基地局（eNB）と、古い設定を有する中継局（RN）との間で無線リンクを適切に維持することができなくなってしまうおそれがある。
【００３１】
図１−３を参照しながら説明したように、基地局（eNB）は、先ず、ユーザ装置（UE）及び中継局（RN）に共通する第１の設定情報を個別的な第１のRRCメッセージにより、中継局（RN）に送信する。第１の設定情報にしたがって論理パスを設定することで、中継局（RN）は、ユーザ装置（UE）と同様に基地局（eNB）と通信することができるようになる。次に、
基地局（eNB）は、中継局（RN）に専用の第２の設定情報を個別的な第２のRRCメッセージにより、中継局（RN）に送信する。第１の設定情報加えて、第２の設定情報にしたがって論理パスを設定し直すことで、中継局（RN）として、基地局（eNB）と通信することができるようになる。
【００３２】
仮に、第２の設定情報にしたがって論理パスを設定した後で、第１の設定情報にしたがって論理パスを設定し直した場合、中継局（RN）に専用の設定事項が、中継局（RN）及びユーザ装置（UE）に共通の設定事項に変更されてしまうので、中継局（RN）として適切に動作することができないことが懸念される。また、中継局（RN）は、例えば10個のサブフレームを含む無線フレームの中で、MBSFNとして設定可能なサブフレーム（例えば、＃１、＃２、＃３、＃６、＃７、＃８の内の１つ以上）を利用して、基地局（eNB）から信号を受信しなければならない（ユーザ装置（UE）にはそのような制約はない）。したがって、先にこの設定がなされると、６個以下に限られたサブフレームの中で、基地局（eNB）から信号を受信しなければならず、設定が完了する時点が送れてしまうことも懸念される。したがって、ユーザ装置（UE）及び中継局（RN）に共通する第１の設定情報にしたがって論理パスを設定した後で、中継局（RN）に専用の第２の設定情報にしたがって論理パスを設定し、必要に応じて第２の設定情報を更新することが好ましい。
【００３３】
＜２．設定できなかった場合＞
＜＜２．１  メッセージ毎に再接続要求＞＞
図１−３を参照しながら説明したように、中継局（RN）は、第１のRRCメッセージ（RRC  Procedure）及び第２のRRCメッセージ（Un  Configuration）を適切に受信して論理パスを設定することで、中継局（RN）として機能することができる。したがって、第１及び第２のRRCメッセージの双方又は一方を適切に受信できなかった場合、適切な中継局（RN）として機能することはできない。このような場合、以下に説明する例では、再接続用のRRCメッセージを利用することで、中継局（RN）は、第１及び第２のRRCメッセージの再送を促すことができる。
【００３４】
図４は、基地局（eNB）及び中継局（RN）の間で行われるシーケンスを示す。ステップS41において、基地局（eNB）は、ユーザ装置（UE）及び中継局（RN）に共通する第１の設定情報を個別的な第１のRRCメッセージにより、中継局（RN）に送信する。これは、図１のステップS11の手順に相当する。しかしながら、中継局（RN）は、何らかの事情により第１の設定情報を適切に設定することができなかったと仮定する。例えば、フェージングに起因して設定情報の全部又は一部が欠落していた等の場合が考えられる。
【００３５】
ステップS42において、中継局（RN）は、再接続用のRRCメッセージ（RRC  connection  re−establishment）を基地局（eNB）に送信する。図示されてはいないが、基地局（eNB）は、再接続用のRRCメッセージ（RRC  connection  re−est）を受信すると、第１の設定情報を第１のRRCメッセージ（RRC  Procedure）により再送する。
【００３６】
図５は、基地局（eNB）及び中継局（RN）の間で行われる別のシーケンスを示す。ステップS51において、基地局（eNB）は、ユーザ装置（UE）及び中継局（RN）に共通する第１の設定情報を個別的な第１のRRCメッセージにより、中継局（RN）に送信する。これは、図１のステップS11の手順に相当する。図示されてはいないが、中継局（RN）は、第１の設定情報にしたがって論理パスを設定することで、ユーザ装置（UE）と同様に基地局（eNB）と通信することができるようになる。
【００３７】
ステップS52において、中継局（RN）は、ステップS21による第１のRRCメッセージを適切に受信できたことを、RRCプロシジャ完了メッセージ（RRC  Procedure  Complete）により基地局（eNB）に通知する。
【００３８】
ステップS53において、基地局（eNB）は、中継局（RN）に専用の第２の設定情報を個別的な第２のRRCメッセージにより、中継局（RN）に送信する。これは、図１のステップS12の手順に相当する。しかしながら、中継局（RN）は、何らかの事情により第２の設定情報を適切に設定することができなかったと仮定する。例えば、フェージングに起因して設定情報の全部又は一部が欠落していた等の場合が考えられる。
【００３９】
ステップS54において、中継局（RN）は、再接続用のRRCメッセージ（RRC  connection  re−establishment）を基地局（eNB）に送信する。図示されてはいないが、基地局（eNB）は、再接続用のRRCメッセージ（RRC  connection  re−est）を受信すると、第１の設定情報を第１のRRCメッセージ（RRC  Procedure）により再送する。ステップS53の第２のRRCメッセージ（Un  Configuration）は、従来のシーケンスには存在しないメッセージなので、この第２のRRCメッセージを適切に受信できなかったことに応じて、ステップS54において送信される再接続用のRRCメッセージ（RRC  connection  re−est）も、従来のシーケンスには存在しない点に留意を要する。
【００４０】
図４及び図５に示す例の場合、第１のメッセージ（RRC  Procedure）及び第２のRRCメッセージ（Un  Configuration）のメッセージ各々について、必要に応じて再接続用のRRCメッセージ（RRC  connection  re−est）が送信される。したがって、再接続用のRRCメッセージ（RRC  connection  re−est）を受信した基地局（eNB）は、第１及び第２のRRCメッセージのいずれが適切に受信できなかったかを区別することができる。例えば、第１のRRCメッセージに対する応答信号（RRC  Procedure  Complete）の代わりに再接続用のRRCメッセージ（RRC  connection  re−est）が基地局（eNB）に届いた場合、基地局（eNB）は、第２のRRCメッセージを無駄に送信せずに、第１のRRCメッセージを速やかに再送することができる。
【００４１】
＜＜２．２  まとめて再接続要求＞＞
図６は、基地局（eNB）及び中継局（RN）の間で行われる別のシーケンスを示す。ステップS61において、基地局（eNB）は、ユーザ装置（UE）及び中継局（RN）に共通する第１の設定情報を個別的な第１のRRCメッセージにより、中継局（RN）に送信する。これは、図１のステップS11の手順に相当する。しかしながら、中継局（RN）は、何らかの事情により第１の設定情報を適切に設定することができなかったと仮定する。例えば、フェージングに起因して設定情報の全部又は一部が欠落していた等の場合が考えられる。
【００４２】
図４に示すシーケンスとは異なり、図６のシーケンスでは、ステップS62において、基地局（eNB）は、中継局（RN）に専用の第２の設定情報を個別的な第２のRRCメッセージ（Un  Configuration）により、中継局（RN）に送信する。すなわち、基地局（eNB）は、第１のRRCメッセージ（RRC  Procedure）に対する中継局（RN）からの応答信号（RRC  Procedure  Complete）を受信してもしなくても、第２のRRCメッセージ（Un  Configuration）を中継局（RN）に送信する。
【００４３】
ステップS63において、中継局（RN）は、再接続用のRRCメッセージ（RRC  connection  re−establishment）を基地局（eNB）に送信する。図示されてはいないが、基地局（eNB）は、再接続用のRRCメッセージ（RRC  connection  re−est）を受信すると、第１のRRCメッセージ（RRC  Procedure）及び第２のRRCメッセージ（Un  Configuration）を再送する。
【００４４】
図７は、基地局（eNB）及び中継局（RN）の間で行われるシーケンスを示す。シーケンスは概して図６のものと同じであるが、受信に失敗する時点が異なる。
【００４５】
ステップS71において、基地局（eNB）は、ユーザ装置（UE）及び中継局（RN）に共通する第１の設定情報を個別的な第１のRRCメッセージにより、中継局（RN）に送信する。これは、図１のステップS11の手順に相当する。
【００４６】
ステップS72において、基地局（eNB）は、中継局（RN）に専用の第２の設定情報を個別的な第２のRRCメッセージにより、中継局（RN）に送信する。すなわち、基地局（eNB）は、第１のRRCメッセージに対する中継局（RN）からの応答信号（RRC  Procedure  Complete）を受信してもしなくても、第２のRRCメッセージを中継局（RN）に送信する。しかしながら、中継局（RN）は、何らかの事情により第２の設定情報を適切に設定することができなかったと仮定する。例えば、フェージングに起因して設定情報の全部又は一部が欠落していた等の場合が考えられる。
【００４７】
ステップS73において、中継局（RN）は、再接続用のRRCメッセージ（RRC  connection  re−establishment）を基地局（eNB）に送信する。図示されてはいないが、基地局（eNB）は、再接続用のRRCメッセージ（RRC  connection  re−est）を受信すると、第１のRRCメッセージ（RRC  Procedure）及び第２のRRCメッセージ（Un  Configuration）を再送する。
【００４８】
図６及び図７に示す例の場合、中継局（RN）は、第１のRRCメッセージの後の第２のRRCメッセージの後に、再接続用のRRCメッセージ（RRC  connection  re−est）を送信する。したがって、再接続用のRRCメッセージ（RRC  connection  re−est）は、第１及び第２の２つのRRCメッセージに対して１回しか送信されない。この点、第１及び第２のRRCメッセージ各々について、必要に応じて再接続用のRRCメッセージ（RRC  connection  re−est）が送信される場合がある図４、図５のシーケンスと異なる。
【００４９】
＜＜２．３  更新時の再接続要求＞＞
図８は、基地局（eNB）及び中継局（RN）の間で行われる別のシーケンスを示す。図４−図７は中継局（RN）の起動時におけるシーケンスに対応し、図８は起動した後の動作中におけるシーケンスに対応する。
【００５０】
ステップS81において、基地局（eNB）は、ユーザ装置（UE）及び中継局（RN）に共通する第１の設定情報を個別的な第１のRRCメッセージにより、中継局（RN）に送信する。これは、図１のステップS11の手順に相当する。図示されてはいないが、中継局（RN）は、第１の設定情報にしたがって論理パスを設定することで、ユーザ装置（UE）と同様に基地局（eNB）と通信することができるようになる。以後、図１又は図２で説明した手順が行われ、中継局（RN）は、第２の設定情報にしたがって論理パスを設定することで、中継局（RN）として、基地局（eNB）と通信することができるようになる。その後、中継局（RN）として機能するのに必要な第２の設定情報が、基地局（eNB）において更新されたと仮定する。
【００５１】
ステップS82において、基地局（eNB）は、更新後の第２の設定情報を個別的な第２のRRCメッセージにより、中継局（RN）に送信する。これは、図１のステップS12の手順に相当する。しかしながら、中継局（RN）は、何らかの事情により第２の設定情報を適切に設定することができなかったと仮定する。例えば、フェージングに起因して設定情報の全部又は一部が欠落していた等の場合が考えられる。
【００５２】
ステップS83において、中継局（RN）は、再接続用のRRCメッセージ（RRC  connection  re−establishment）を基地局（eNB）に送信する。図示されてはいないが、基地局（eNB）は、再接続用のRRCメッセージ（RRC  connection  re−est）を受信すると、更新後の第２の設定情報を第２のRRCメッセージ（Un  Configuration）により再送する。
【００５３】
図４−図８を参照しながら説明したように、中継局（RN）が第１のRRCメッセージ（RRC  Procedure）及び／又は第２のRRCメッセージ（Un  Configuration）の受信に失敗した場合、中継局（RN）は、再接続用のRRCメッセージ（RRC  connection re−est）を基地局（eNB）に送信する。これにより、基地局（eNB）は、第１及び第２のRRCメッセージを中継局（RN）に再送することができる。
【００５４】
＜＜２．４  動作フロー＞＞
図９は、図４−図８を参照しながら説明した動作を、中継局（RN）の観点から説明するためのフローチャートである。
【００５５】
ステップS91において、中継局（RN）は、第１のRRCメッセージ（RRC  Procedure）及び第２のRRCメッセージ（Un  Configuration）の既存の設定が存在するか否かを判断する。Noの場合、既存の設定は存在しないので、これは起動時における動作であり、フローはステップS92に進む。Yesの場合、既存の設定が存在するので、これは更新時における動作であり、フローはステップS96に進む。
【００５６】
ステップS92において、中継局（RN）は、第１のRRCメッセージ（RRC  Procedure）による設定が完了したか否かを判断する。設定できていない場合、フローはステップS93に進む。
【００５７】
ステップS93では、設定に失敗したことに起因して、中継局（RN）は、再接続用のRRCメッセージ（RRC  connection  re−est）を基地局（eNB）に送信する。これは、図４のステップS42及び図６のステップS63に対応する。その後、基地局（eNB）は、第１のRRCメッセージ（RRC  Procedure）及び第２のRRCメッセージ（Un  Configuration）を中継局（RN）に送信する。
【００５８】
一方、ステップS92において、第１のRRCメッセージ（RRC  Procedure）による設定が完了していた場合、フローはステップS94に進む。
【００５９】
ステップS94において、中継局（RN）は、第２のRRCメッセージ（Un  Configuration）による設定が完了しているか否かを判断する。完了していなかった場合、フローはステップS93に進み、中継局（RN）は、再接続用のRRCメッセージ（RRC  connection  re−est）を基地局（eNB）に送信する。これは、図５のステップS54及び図７のステップS73に対応する。その後、基地局（eNB）は、第１のRRCメッセージ（RRC  Procedure）及び第２のRRCメッセージ（Un  Configuration）を中継局（RN）に送信する。一方、第２のRRCメッセージ（Un  Configuration）による設定が完了していた場合、フローはステップS95に進む。
【００６０】
ステップS95にフローが至る場合、第１のRRCメッセージ（RRC  Procedure）及び第２のRRCメッセージ（Un  Configuration）による設定は適切に行われており、中継局（RN）としての論理パスの設定は完了し、フローは終了する。
【００６１】
他方、ステップS91において、第１のRRCメッセージ（RRC  Procedure）及び第２のRRCメッセージ（Un  Configuration）の既存の設定が存在していた場合、フローはステップS96に進む。
【００６２】
ステップS96において、中継局（RN）は、第２のRRCメッセージ（Un  Configuration）による設定が完了しているか否かを判断する。完了していなかった場合、フローはステップS93に進み、中継局（RN）は、再接続用のRRCメッセージ（RRC  connection  re−est）を基地局（eNB）に送信する。その後、基地局（eNB）は、第１のRRCメッセージ（RRC  Procedure）及び第２のRRCメッセージ（Un  Configuration）を中継局（RN）に送信する。一方、ステップS94において、第２のRRCメッセージ（Un  Configuration）による設定が完了していた場合、フローはステップS95に進む。上述したように、この場合は、更新時における動作に相当する。
【００６３】
ステップS95にフローが至る場合、第１のRRCメッセージ（RRC  Procedure）及び第２のRRCメッセージ（Un  Configuration）による設定は適切に行われており、中継局（RN）としての論理パスの設定は完了し、フローは終了する。
【００６４】
＜３．設定項目＞
上述したように、中継局（RN）は、起動時において、第１のRRCメッセージ（RRC  Procedure）及び第２のRRCメッセージ（Un  Configuration）を受信して設定を行い、更新時において、第２のRRCメッセージ（Un  Configuration）を受信して設定を行う。したがって、このような動作を実現できるように、第１のRRCメッセージ（RRC  Procedure）に含まれる第１の設定情報、及び第２のRRCメッセージ（Un  Configuration）に含まれる第２の設定情報を、適切に規定しておく必要がある。
【００６５】
第１の設定情報は、ユーザ装置（UE）及び中継局（RN）に共通する情報であり、具体的には、論理パスによる無線ベアラの優先度を示す情報、セミパーシステントスケジューリング（SPS）におけるリソースの使用法を示す情報、サウンディングリファレンス信号（SRS）のリソースを示す情報及びMACサブレイヤにおけるコンフィギュレーション情報等を含むが、これらに限定されない。例えば、ハンドオーバによるセキュリティ暗号鍵の変更に関する情報が、第１の設定情報に含まれてもよい。
【００６６】
第２の設定情報は、中継局（RN）に専用の情報であり、具体的には、ユーザ装置に報知されているシステム情報及びMBSFN用のサブフレームを示す情報を含む。システム情報は、マスター情報ブロック（Master  Information  Block：MIB）及びシステム情報ブロック（System  Information  Blocks：SIB）により伝送される情報である。システム情報は、例えば、システム帯域幅やシステムフレーム番号のような必要最低限の情報、セルID、セル選択情報、トラッキングエリア等を示す情報、SIB2以降の情報のスケジューリング情報、全てのユーザ装置（UE）に共通する無線リソースのコンフィギュレーション情報、同一周波数及び異周波のセル再選択に共通する情報、同一周波数のセル再選択に関する情報、異周波や異RATのセル再選択に関する情報等を含むが、これらに限定されない。
【００６７】
図１０は、基地局（eNB）及び中継局（RN）の間で行われるシーケンスを示す。シーケンスは図２を参照しながら説明したものと同じであるが、図１や図３等のような他のシーケンスが使用されてもよい。
【００６８】
ステップS101において、基地局（eNB）は、ユーザ装置（UE）及び中継局（RN）に共通する第１の設定情報を、個別的な第１のRRCメッセージ（RRC  Procedure）により中継局（RN）に送信する。第１の設定情報は、基地局（eNB）のユーザ装置用設定データベース（UE用設定DB）に保存されている。図示の例では、ユーザ装置（UE）及び中継局（RN）に設定可能な項目は全部で26個あり、その内、第１の設定項目は20個あり、それらを便宜上、Ａ、Ｂ、...Ｔのように表す。設定項目Ａの値は１であり、設定項目Ｂの値は２であり、以下同様に値が設定されており、設定項目Ｔの値は20である。設定項目の数及びそれらの値は、説明の便宜的な観点から例示されているにすぎず、適切な如何なる値が使用されてもよい。中継局（RN）は、設定項目Ａ−Ｔの値を第１の設定情報にしたがって設定することで、ユーザ装置（UE）と同様に基地局（eNB）と通信することができるようになる。
【００６９】
ステップS102において、中継局（RN）は、ステップS21による第１のRRCメッセージを適切に受信できたことを、RRCプロシジャ完了メッセージ（RRC  Procedure  Complete）により基地局（eNB）に通知する。RRCプロシジャ完了メッセージの通知は、後のタイミングで行われてもよい。
【００７０】
ステップS103において、基地局（eNB）は、中継局（RN）に専用の第２の設定情報を個別的な第２のRRCメッセージにより、中継局（RN）に送信する。第２の設定情報は、基地局（eNB）の中継局用設定データベース（RN用設定DB）に保存されている。なお、UE用設定DB及びRN用設定DBは、別々に設けられてもよいし、１つのデータベースの中で区分けされていてもよい。中継局（RN）は、設定項目Ａ及び設定項目Ｕ−Ｚの値を第２の設定情報にしたがって設定することで、中継局（RN）として、基地局（eNB）と通信することができるようになる。設定項目Ａは、第１の設定情報にも第２の設定情報にも含まれているが、第１の設定情報では値が１であるのに対して、第２の設定情報では値が30である点が異なる。この場合、中継局（RN）としての設定（第２の設定情報における設定項目Ａの値）が優先され、設定項目Ａの値は、１から30に変更（上書き）される。設定項目Ｕ−Ｚは、ユーザ装置（UE）用の第１の設定情報には含まれておらず、中継局（RN）用の第２の設定情報に含まれている。このような設定項目の差分に相当する項目については、中継局（RN）において設定が追加され、重複した設定項目については中継局（RN）用の値が上書きされる。
【００７１】
設定項目Ａ−Ｔに該当する情報は、ユーザ装置（UE）及び中継局（RN）に共通する情報であり、具体的には、論理パスによる無線ベアラの優先度を示す情報、セミパーシステントスケジューリング（SPS）におけるリソースの使用法を示す情報、サウンディングリファレンス信号（SRS）のリソースを示す情報及びMACサブレイヤにおけるコンフィギュレーション情報等を含むが、これらに限定されない。例えば、ハンドオーバによるセキュリティ暗号鍵の変更に関する情報が含まれてもよい。なお、ある設定項目を上書きする処理は、起動時だけでなく、その設定項目を更新する際にも当然に行われる。
【００７２】
設定項目Ｕ−Ｚに該当する情報は、中継局（RN）に専用の情報であり、具体的には、ユーザ装置に報知されているシステム情報及びMBSFN用のサブフレームを示す情報等が挙げられる。
【００７３】
ステップS104において、中継局（RN）は、ステップS103による第２のRRCメッセージ（Un  Configuration）を適切に受信できたことを、Unコンフィギュレーション完了メッセージ（Un  Configuration  Complete）により基地局（eNB）に通知する。
【００７４】
このように、ユーザ装置（UE）及び中継局（RN）に共通する設定項目が第１のRRCメッセージ（RRC  Procedure）により中継局（RN）に通知され、中継局（RN）に専用の設定項目が第２のRRCメッセージ（Un  Configuration）により中継局（RN）に通知される。各種の設定項目をこのように分離して通知することで、ステップS104以降に中継局（RN）の設定を更新する場合、第２のRRCメッセージ（Un  Configuration）のみを中継局（RN）に通知すればよい。このようにすることで、図３で説明したシーケンスを実現することができる。
【００７５】
＜４．基地局（eNB）及び中継局（RN）＞
図１１は、基地局（eNB）及び中継局（RN）の機能ブロック図を示す。図示の機能要素は、基地局（eNB）及び中継局に備わる各種の機能要素の内、上記の各種の動作に必要なものを示している。
【００７６】
ドナー基地局（DeNB）である基地局（eNB）は、RRC設定項目分離部111、送信順序制御部112、設定情報送信部113及び再接続制御部114を少なくとも有する。中継局（RN）は、設定情報受信部115、上書き判定部116、設定反映部117及び再接続要否判定部118を少なくとも有する。
【００７７】
基地局（eNB）は、RRC設定項目分離部111において、ユーザ装置（UE）及び中継局（RN）に共通する第１の設定情報（図10における設定項目Ａ−Ｔ）と、中継局（RN）に専用の第２の設定情報（設定項目Ａ、Ｕ−Ｚ）とを判別し、出力する。送信順序制御部112は、第１の設定情報を含む第１のRRCメッセージ（RRC  Procedure）の後に、第２の設定情報を含む第２のRRCメッセージ（Un  Configuration）が送信されるように、送信順序を制御する。設定情報送信部113は、送信順序制御部112からの指示にしたがって、第１の設定情報を含む第１のRRCメッセージ（RRC  Procedure）の後に、第２の設定情報を含む第２のRRCメッセージ（Un  Configuration）を中継局（RN）に送信する。
【００７８】
中継局（RN）は、設定情報受信部115により、第１の設定情報を含む第１のRRCメッセージ（RRC  Procedure）の後に、第２の設定情報を含む第２のRRCメッセージ（Un  Configuration）を受信する。上書き判定部116は、既に設定済みの設定項目を上書きすることの要否を判定する。上書き判定部116は、起動時に図10のステップS103により、設定項目Ａを上書きするか否かを判定する場合に加えて、更新の際に値を更新するか否かを判定する場合にも使用される。設定反映部117は、設定項目各々の値を設定する。
【００７９】
一方、中継局（RN）は、再接続要否判断部118により、受信した第１及び第２のRRCメッセージから設定情報を適切に取得できたか否かを判定する。適切に取得できなかった場合、中継局（RN）は、再接続を要求するRRCメッセージ（RRC  connection  re−est）を基地局（eNB）に送信する。基地局（eNB）は、再接続制御部114により、再接続を要求するRRCメッセージ（RRC  connection  re−est）を処理し、第１及び第２のRRCメッセージを再送するように、設定情報送信部113に指示を送る。
【００８０】
以上本発明は特定の実施例を参照しながら説明されてきたが、それらは単なる例示に過ぎず、当業者は様々な変形例、修正例、代替例、置換例等を理解するであろう。特に、実施例又は項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。
【００８１】
例えば、第１のRRCメッセージ（RRC  Procedure）の後に第２のRRCメッセージ（Un  Configuration）を中継局（RN）に通知する図１の処理を行う際に、中継局（RN）が再接続用のRRCメッセージ（RRC  connection  re−est）を必要に応じて送信する図６及び図７の処理が併用されてもよい。さらに、図１０を参照しながら説明した設定項目を区分けすること及び中継局（RN）の設定項目を優先することが、図１の処理を行う際に併用されてもよい。同様に、図２の処理を行う際に、図４及び図５の処理が併用されてもよい。さらに、設定項目を区分けすること及び中継局（RN）の設定項目を優先することが、図２の処理を行う際に併用されてもよい。そして、図３の処理を行う際に、図８の処理が併用されてもよい。さらに、設定項目を区分けすること及び中継局（RN）の設定項目を優先することが、図３の処理を行う際に併用されてもよい。
【００８２】
本発明は、基地局及びユーザ装置の通信を中継する中継局を使用する適切な如何なる移動通信システムに適用されてもよい。例えば本発明は、W−CDMA方式のシステム、HSDPA／HSUPA方式のW−CDMAシステム、LTE方式のシステム、LTE−Advanced方式のシステム、IMT−Advanced方式のシステム、WiMAX、Wi−Fi方式のシステム等に適用されてもよい。発明の理解を促すため具体的な数値例を用いて説明がなされたが、特に断りのない限り、それらの数値は単なる一例に過ぎず適切な如何なる値が使用されてもよい。説明の便宜上、本発明の実施例に係る装置は機能的なブロック図を用いて説明されたが、そのような装置はハードウェアで、ソフトウェアで又はそれらの組み合わせで実現されてもよい。ソフトウェアは、ランダムアクセスメモリ（RAM）、フラッシュメモリ、読み取り専用メモリ（ROM）、EPROM、EEPROM、レジスタ、ハードディスク（HDD）、リムーバブルディスク、CD−ROM、データベース、サーバその他の適切な如何なる記憶媒体に用意されてもよい。
【００８３】
したがって、本発明は上記実施例に限定されず、本発明の精神から逸脱することなく、様々な変形例、修正例、代替例、置換例等が本発明に包含される。
【００８４】
以下、本発明により教示される手段を例示的に列挙する。
【００８５】
（ｅＮＢ１）
移動通信システムにおける基地局であって、
ユーザ装置との通信における論理パスの設定及び中継局との通信における論理パスの設定に共通に使用される第１の設定情報と、前記中継局との通信における論理パスの設定にのみ使用される第２の設定情報とを生成する生成部と、
前記第１の設定情報を含む個別的な第１のRRCメッセージを前記中継局に送信した後に、前記第２の設定情報を含む個別的な第２のRRCメッセージを前記中継局に送信する送信部と
を有する基地局。
【００８６】
（ｅＮＢ２）
前記送信部が、前記第１のRRCメッセージを前記中継局に送信した後、該第１のRRCメッセージに対する応答信号を当該基地局が受信したか否かによらず、前記送信部が前記第２のRRCメッセージを前記中継局に送信する、ｅＮＢ１記載の基地局。
【００８７】
（ｅＮＢ３）
前記送信部が、前記第１のRRCメッセージを前記中継局に送信し、該第１のRRCメッセージに対する応答信号を当該基地局が受信した後に、前記送信部が前記第２のRRCメッセージを前記中継局に送信する、ｅＮＢ１記載の基地局。
【００８８】
（ｅＮＢ４）
前記送信部は、前記第１のRRCメッセージを前記中継局に送信した後に、前記第２のRRCメッセージを前記中継局に反復的に送信することで、前記第２の設定情報による論理パスの設定を更新する、ｅＮＢ１ないし３の何れか１項に記載の基地局。
【００８９】
（ｅＮＢ５）
前記中継局が前記第１の設定情報及び／又は前記第２の設定情報を受信できなかった場合において、当該基地局は、前記中継局から再接続用のRRCメッセージを受信し、前記第１及び第２のRRCメッセージを前記中継局に送信する、ｅＮＢ１ないし４の何れか１項に記載の基地局。
【００９０】
（ｅＮＢ６）
前記中継局が前記第１の設定情報を受信できなかった場合において、当該基地局は、前記中継局から再接続用のRRCメッセージを受信し、前記中継局が前記第２の設定情報を受信できなかった場合において、当該基地局は、前記中継局から再接続用のRRCメッセージを受信する、ｅＮＢ５記載の基地局。
【００９１】
（ＲＮ１）
ユーザ装置及び基地局と通信する中継局であって、
ユーザ装置との通信における論理パスの設定及び前記基地局との通信における論理パスの設定に共通に使用される第１の設定情報を含む個別的な第１のRRCメッセージを前記基地局から受信した後に、前記基地局との通信における論理パスの設定にのみ使用される第２の設定情報を含む個別的な第２のRRCメッセージを前記基地局から受信する受信部と、
前記第１の設定情報にしたがって、前記ユーザ装置との通信における論理パス及び前記基地局との通信における論理パスを設定し、前記第２の設定情報にしたがって、前記基地局との通信における論理パスを設定する設定部と
を有する中継局。
【００９２】
（ＲＮ２）
前記受信部が、前記第１のRRCメッセージを前記基地局から受信し、該第１のRRCメッセージに対する応答信号を前記基地局へ送信する前に、前記受信部が前記第２のRRCメッセージを前記基地局から受信する、ＲＮ１記載の中継局。
【００９３】
（ＲＮ３）
前記受信部が、前記第１のRRCメッセージを前記基地局から受信し、該第１のRRCメッセージに対する応答信号を前記基地局へ送信した後に、前記受信部が前記第２のRRCメッセージを前記基地局から受信する、ＲＮ１記載の中継局。
【００９４】
（ＲＮ４）
前記受信部は、前記第１のRRCメッセージを前記基地局から受信した後に、前記第２のRRCメッセージを前記基地局から反復的に受信することで、前記第２の設定情報による論理パスの設定を更新する、ＲＮ１ないし３の何れか１項に記載の中継局。
【００９５】
（ＲＮ５）
当該中継局が前記第１の設定情報及び／又は前記第２の設定情報を受信できなかった場合において、当該中継局は、再接続用のRRCメッセージを前記基地局に送信し、前記第１及び第２のRRCメッセージを前記基地局から受信する、ＲＮ１ないし４の何れか１項に記載の中継局。
【００９６】
（ＲＮ６）
当該中継局が前記第１の設定情報を受信できなかった場合において、当該中継局は、再接続用のRRCメッセージを前記基地局に送信し、当該中継局が前記第２の設定情報を受信できなかった場合において、当該中継局は、再接続用のRRCメッセージを前記基地局に送信する、ＲＮ５記載の中継局。
【００９７】
（方法１）
移動通信システムにおける方法であって、
ユーザ装置との通信における論理パスの設定及び中継局との通信における論理パスの設定に共通に使用される第１の設定情報と、前記中継局との通信における論理パスの設定にのみ使用される第２の設定情報とを基地局において生成し、
前記第１の設定情報を含む個別的な第１のRRCメッセージを前記基地局から前記中継局に送信した後に、前記第２の設定情報を含む個別的な第２のRRCメッセージを前記基地局から前記中継局に送信するステップ
を有する方法。
【００９８】
（ｅＮＢ１）
移動通信システムにおける基地局であって、
ユーザ装置との通信における論理パスの設定及び中継局との通信における論理パスの設定に共通に使用される第１の設定情報と、前記中継局との通信における論理パスの設定にのみ使用される第２の設定情報とを生成する生成部と、
前記第１の設定情報を含む個別的な第１のRRCメッセージを前記中継局に送信した後に、前記第２の設定情報を含む個別的な第２のRRCメッセージを前記中継局に送信する送信部と
を有し、前記第１の設定情報は、前記論理パスによる無線ベアラの優先度を示す情報、セミパーシステントスケジューリングにおけるリソースの使用法を示す情報、サウンディングリファレンス信号のリソースを示す情報、MACサブレイヤにおけるコンフィギュレーション情報及びハンドオーバによるセキュリティ暗号鍵の変更に関する情報を少なくとも含み、
前記第２の設定情報は、ユーザ装置に報知されているシステム情報及びMBSFN用のサブフレームを示す情報を少なくとも含む、基地局。
【００９９】
（ｅＮＢ２）
前記第１及び第２の設定情報双方に含まれるが値は異なる設定項目の情報が存在する場合、前記第２の設定情報による値が前記中継局において優先される、ｅＮＢ１記載の基地局。
【０１００】
（ＲＮ１）
ユーザ装置及び基地局と通信する中継局であって、
ユーザ装置との通信における論理パスの設定及び前記基地局との通信における論理パスの設定に共通に使用される第１の設定情報を含む個別的な第１のRRCメッセージを前記基地局から受信した後に、前記基地局との通信における論理パスの設定にのみ使用される第２の設定情報を含む個別的な第２のRRCメッセージを前記基地局から受信する受信部と、
前記第１の設定情報にしたがって、前記ユーザ装置との通信における論理パス及び前記基地局との通信における論理パスを設定し、前記第２の設定情報にしたがって、前記基地局との通信における論理パスを設定する設定部と
を有し、前記第１の設定情報は、前記論理パスによる無線ベアラの優先度を示す情報、セミパーシステントスケジューリングにおけるリソースの使用法を示す情報、サウンディングリファレンス信号のリソースを示す情報、MACサブレイヤにおけるコンフィギュレーション情報及びハンドオーバによるセキュリティ暗号鍵の変更に関する情報を少なくとも含み、
前記第２の設定情報は、ユーザ装置に報知されているシステム情報及びMBSFN用のサブフレームを示す情報を少なくとも含む、中継局。
【０１０１】
（ＲＮ２）
前記第１及び第２の設定情報双方に含まれるが値は異なる設定項目の情報が存在する場合、前記第２の設定情報による値が当該中継局において優先される、ＲＮ１記載の中継局。
【０１０２】
（方法１）
移動通信システムにおける方法であって、
ユーザ装置との通信における論理パスの設定及び中継局との通信における論理パスの設定に共通に使用される第１の設定情報と、前記中継局との通信における論理パスの設定にのみ使用される第２の設定情報とを基地局において生成し、
前記第１の設定情報を含む個別的な第１のRRCメッセージを前記基地局から前記中継局に送信した後に、前記第２の設定情報を含む個別的な第２のRRCメッセージを前記基地局から前記中継局に送信するステップ
を有し、前記第１の設定情報は、前記論理パスによる無線ベアラの優先度を示す情報、セミパーシステントスケジューリングにおけるリソースの使用法を示す情報、サウンディングリファレンス信号のリソースを示す情報、MACサブレイヤにおけるコンフィギュレーション情報及びハンドオーバによるセキュリティ暗号鍵の変更に関する情報を少なくとも含み、
前記第２の設定情報は、ユーザ装置に報知されているシステム情報及びMBSFN用のサブフレームを示す情報を少なくとも含む、方法。
【符号の説明】
【０１０３】
eNB  基地局
RN  中継局
UE  ユーザ装置
111  RRC設定項目分離部
112  送信順序制御部
113  設定情報送信部
114  再接続制御部
115  設定情報受信部
116  上書き判定部
117  設定反映部
118  再接続要否判定部
【図１】
0005198518.tif 000002
【図２】
0005198518.tif 000003
【図３】
0005198518.tif 000004
【図４】
0005198518.tif 000005
【図５】
0005198518.tif 000006
【図６】
0005198518.tif 000007
【図７】
0005198518.tif 000008
【図８】
0005198518.tif 000009
【図９】
0005198518.tif 000010
【図１０】
0005198518.tif 000011
【図１１】
0005198518.tif 000012